(57)【特許請求の範囲】
【請求項１】
蒸気流通パイプの一端を連結したボイラーと、蒸気流通パイプの他端と連結し、蒸気又は温水を供給パイプに供給する蒸気エゼクターと、この蒸気エゼクターと連結する供給パイプと連続し、蒸気エゼクターからの蒸気又は温水を外部へ噴射する噴射孔を有する散水パイプと、散水による融雪水を回収する回収体と、この回収体と前記蒸気エゼクターを連結する連結パイプを備えたことを特徴とする融雪装置。
【請求項２】
散水パイプに蒸気又は温水の供給量を制御するバルブが設けられていることを特徴とする請求項１記載の融雪装置。
【請求項３】
連結パイプの途中に融雪水の貯留タンクが設けられていることを特徴とする請求項１又は２記載の融雪装置。
【請求項４】
回収体は樋状体である請求項１、２又は３記載の融雪装置。
【請求項５】
回収体は回収溝である請求項１、２又は３記載の融雪装置。
【発明の詳細な説明】
【０００１】
【発明の属する技術分野】
本発明は屋根や屋外の駐車場に設置し、積雪を融かす融雪装置に関するものである。
【０００２】
【従来の技術】
従来の融雪装置は、熱発生源である温水パイプを屋根上等に敷設し、この温水パイプに接する雪を温めることにより融解している。
又、水道水や地下水を熱して温水を噴射する散水パイプを設け、温水で雪を融解している。
【０００３】
【発明が解決しようとする課題】
従来の融雪装置のうち、熱源を敷設するものは屋根全体を均一に発熱させる構造が複雑で、放熱部材や付属部品類が多数使用され、故障の原因となり、製造費や保守管理費の負担も大きいのである。
又、温水を雪に噴射して融雪するものは水を多量に消費し、水道水や地下水等を必要とする。
又、従来の融雪装置は両者とも温水を配送するためのポンプを必要とすると共に、凍結時に装置が作動していないと管内に残った水が凍結し、始動が困難となる。
【０００４】
上記点より本発明は、屋根や屋外の駐車場等に設置し、温水を配送するためのポンプが不要で、融雪のための水も少量で済むと共に、パイプ内に残った水が凍結しても始動が容易な融雪装置を提供しようとするものである。
【０００５】
【課題を解決するための手段】
上記課題を解決するため本発明融雪装置は、蒸気流通パイプの一端を連結したボイラーと、蒸気流通パイプの他端と連結し、蒸気又は温水を供給パイプに供給する蒸気エゼクターと、この蒸気エゼクターと連結する供給パイプと連続し、蒸気エゼクターからの蒸気又は温水を外部へ噴射する噴射孔を有する散水パイプと、散水による融雪水を回収する回収体と、この回収体と前記蒸気エゼクターを連結する連結パイプを備えたことを特徴とするものである。
【０００６】
又、散水パイプに温水の供給量を制御するバルブを設けることが好ましい。又連結パイプの途中に融雪水の貯留タンクを設けることもできる。
更に、回収体は樋状体であってもよく、又回収体は回収溝であってもよい。
【０００７】
上記構成を有する本発明は、始動時はボイラーより発生した蒸気が、蒸気圧で蒸気流通パイプから蒸気エゼクター内に入り、蒸気エゼクターから噴出し、供給パイプ及び供給パイプと連続する散水パイプ内を進み、噴射孔から蒸気を噴射して融雪する。
【０００８】
この蒸気の噴射により融かされた雪は融雪水となり、回収体内に回収される。そして、回収体内に流れ込んだ融雪水は、回収体が連結パイプで蒸気エゼクターと連絡しているため、蒸気エゼクターの蒸気の噴射に伴って吸引され、蒸気と融雪水が混合され、融雪水は高温の蒸気で熱せられ温水となり、蒸気エゼクターから噴出し、供給パイプから散水パイプ内を進み、噴射孔から温水を噴射して融雪し、融雪水は回収体内に回収される。
以後、同様にして温水による融雪が継続する。
【０００９】
この温水による融雪は、融雪水を利用するので水道水や地下水等を必要とせず、それに伴う設備費もかからず経済的である。
又、蒸気エゼクターを使用し、蒸気の噴出と同時に融雪水を吸引し噴出するので、配送のためのポンプも不要である。
又、始動時は蒸気が供給パイプ及び散水パイプ内を流通するので、パイプ内に残った水が凍結しても解凍でき、容易に始動が可能である。
【００１０】
又、散水パイプに蒸気又は温水の供給量を制御するバルブが設けてあるため、散水パイプの選択や供給量の制御を降雪度合いや積雪量に対応して調節できる。
又、連結パイプの途中に融雪水の貯留タンクを設けておけば、次回の装置の始動時から融雪水を使用した温水で融雪が可能となる。
【００１１】
又、装置を屋根に設置した場合は、回収体を樋状体とすると好適であり、装置を屋外の駐車場等に設置した場合は、回収体を回収溝とすると好適である。
【００１２】
【発明の実施の形態】
以下、本発明の一実施の形態を図面に基づき説明する。
図１は本発明融雪装置を屋根に設置した場合を示す斜視図、図２は同上の貯留タンクを設けた斜視図、図３は本発明融雪装置を駐車場に設置した場合を示す斜視図、図４は同上の貯留タンクを設けた斜視図である。
【００１３】
尚、全図を通して同一符号は同一又は相当する部分を示すものである。
而して、図１に於いて、図中１は蒸気発生用ボイラーであり、蒸気噴出口（図示せず）に蒸気流通パイプ２の一端が連結されている。この蒸気流通パイプ２の他端は蒸気エゼクター３と連結されている。
蒸気エゼクター３はボイラー１から発生した蒸気を蒸気エゼクター３に連結する供給パイプ４内に噴出する。
【００１４】
供給パイプ４は、装置が屋根に設置される場合は家の側壁に沿って設けられ、供給パイプ４の途中に直角に分岐して屋根の棟方向に複数の散水パイプ５が平行に間隔を於いて配設されている。
【００１５】
そして、散水パイプ５の延長方向に所定の間隔を於いて噴射孔６が設けられ、散水パイプ５の先端は閉止されている。
又、散水パイプ５の基端に蒸気又は温水の供給量を制御する電磁バルブ７が設けられている。
又、屋根の軒先に融雪水の回収体である樋状体８が設けられ、この樋状体８に連結パイプ９の一端が連結されると共に、連結パイプ９の他端は蒸気エゼクター３に連結している。連結パイプ９にバルブ１７が設けられている。
【００１６】
したがって、樋状体８で回収された融雪水は、連結パイプ９で蒸気エゼクター３内で蒸気を噴出させた時に生じた低圧部に吸引され、蒸気と一緒に供給パイプ４内に噴出される。
１０は樋状体８に設けたバルブ１１を設けた排水管であり、樋状体８内の融雪水の量をバルブ１１で調節し、融雪水が多い時は排水管１０より排水する。
又、このバルブ１１を開けて連結パイプ９のバルブ１７を閉じておけば、蒸気だけによる融雪を行うことも可能である。
【００１７】
図２は屋根の融雪装置の樋状体８と蒸気エゼクター３を連結する連結パイプ９の途中に、樋状体８からの融雪水を貯留する貯留タンク１２を地下に設けた場合を示している。この場合は排水管１０は不要となる。
又、バルブ１７を閉じておけば蒸気だけによる融雪を行うことも可能である。
【００１８】
次に、図３は装置を屋外の駐車場に設置した場合を示すもので、供給パイプ４から分岐した散水パイプ５は地中に埋設された筒状のパイプ挿通溝１３内に挿通され、散水パイプ５の噴射孔（図示せず）に先端が地表に現出したノズル１４が取り付けられ、このノズル１４から蒸気又は温水が地表に噴射され融雪する。  又、散水パイプ４と平行に融雪水の回収体である筒状の回収溝１５が地中に埋設され、上面に設けた流入口１６から融雪水が回収溝１５内に流入する。
回収溝１５の一方の端部は閉止され、他方の端部に連結パイプ９が連結している。
【００１９】
図４は駐車場の融雪装置の回収溝１５と蒸気エゼクター３を連結する連結パイプ９の途中に回収溝１５からの融雪水を貯留する貯留タンク１２を地下に設けた場合を示している。
尚、図３及び図４の融雪装置の蒸気エゼクター３寄りの連結パイプ９に設けたバルブ１７を閉じておけば、蒸気だけによる融雪を行うことも可能である。
【００２０】
【発明の効果】
本発明によれば、蒸気エゼクターから蒸気の噴出に伴い、回収した融雪水が蒸気エゼクターに吸引され、蒸気エゼクターから供給パイプ内に噴出するため、従来のような配送のためのポンプは不要となる。又温水による融雪は融雪水を利用するので経済的である。
又、供給パイプ及び散水パイプ内に残った水が凍結しても、始動時に蒸気が流通するので容易に解凍でき、始動に支障を来すことがない。
このように、構成が簡単で設備費も少なく、経済的効果を有する融雪装置は、屋根や駐車場に好適なものである。
【図面の簡単な説明】
【図１】本発明融雪装置を屋根に設置した場合を示す斜視図である。
【図２】本発明融雪装置を屋根に設置した場合を示す斜視図である。
【図３】本発明融雪装置を駐車場に設置した場合を示す斜視図である。
【図４】本発明融雪装置を駐車場に設置した場合を示す斜視図である。
【符号の説明】
１  ボイラー
２  蒸気流通パイプ
３  蒸気エゼクター
４  供給パイプ
５  散水パイプ
６  噴射孔
７  電磁バルブ
８  樋状体
９  連結パイプ
１０  排水管
１１  バルブ
１２  貯留タンク
１３  パイプ挿通溝
１４  ノズル
１５  回収溝
１６  流入口
１７  バルブ
【図１】
0003578709.tif 000002
【図２】
0003578709.tif 000003
【図３】
0003578709.tif 000004
【図４】
0003578709.tif 000005